(57)【要約】      （修正有）【課題】コンパクトで、重量配分のよいハンディクリーナーを提供する。【解決手段】ハンディクリーナーの本体の上にダストカップ１とモーター内蔵のボディー２を設け、本体の底部にバッテリーパック４を設置し、ハンドル３でボディー２とバッテリーパック４を連結することにより、ハンディクリーナーの重心を下げることができる。本体の安定性と合理的な重量配分を実現することにより問題点を解決している。【選択図】図４
0003222432.tif 000002
【実用新案登録請求の範囲】
【請求項１】
モーターを内蔵するボディーと、
該ボディーに連結するサイクロン部と、
前記ボディーに連結する、または前記ボディーと一体となるハンドルと、
前記モーターに給電するバッテリーパックと、を含み、
前記モーターは吸引力を提供し、ごみを前記サイクロン部に吸い込み、前記サイクロン部でごみと空気を分離し、
前記ハンドルの上側に前記サイクロン部と前記ボディーを設け、
前記ハンドルの下側にバッテリーパックを設け、
前記ハンドルで、前記ボディーと前記バッテリーパックを連結することを特徴とするハンディクリーナー。
【請求項２】
前記サイクロン部の中心軸と前記モーターの中心軸が平行であることを特徴とする請求項1に記載のハンディクリーナー。
【請求項３】
前記サイクロン部の中心軸と水平面の間に0〜45°の角度があることを特徴とする請求項１に記載のハンディクリーナー。
【請求項４】
前記バッテリーパックは前記ハンドルの横にあり、前記バッテリーパックの底部と前記ハンドルの底部は一体で本体底部を構成することを特徴とする請求項１〜３いずれかに記載のハンディクリーナー。
【請求項５】
前記バッテリーパックは前記ハンドルの下側にあり、前記バッテリーパック本体底部を構成することを特徴とする請求項１に記載のハンディクリーナー。
【考案の詳細な説明】
【技術分野】
【０００１】
本考案は充電式コードレスハンディクリーナーに関するものである。
【背景技術】
【０００２】
いままでのコードレスハンディクリーナーのバッテリーパックはサイクロン部もしくはハンドルに内蔵される。バッテリーパックをサイクロン部に内蔵すると、サイクロン部の重量が増えて、ごみ捨てに不便である。バッテリーパックをハンドルに内蔵すると、本体の重量の配分が悪いので、使用するときに不便である。
【考案の概要】
【考案が解決しようとする課題】
【０００３】
重量の配分が悪いと、使用するときに手に負担がある。従って、コンパクトで、重量配分がよく、サイクロン部の重量が増えないコードレスハンディクリーナーを開発して、前記欠点を解決しようとするものである。
【課題を解決するための手段】
【０００４】
本考案は、ハンディクリーナーの本体の上にサイクロン部とモーター内蔵のボディーを設け、下にバッテリーパックを設け、ハンドルでボディーとバッテリーパックを連結することにより、ハンディクリーナーの重心を下げることができる。それによって、本体の安定性と合理的な重量配分を実現することにより問題点を解決している。
【考案の効果】
【０００５】
上述のように、本考案のハンディクリーナーはバッテリーパックの搭載位置を変更し重量配分の適正化と低重心化を実現し、手持ち作業の快適さを確保し、配置時に安定している。しかも、サイクロン部とバッテリーパックが分離しているので、ごみ捨てとフィルターなどの消耗品を交換するときには、バッテリーパックを頻繁に分解する必要はない。使用上の便利性が向上する。
【図面の簡単な説明】
【０００６】
【図１】本考案のコードレスハンディクリーナーの一実施形態を示す正面図である。
【図２】同じくコードレスハンディクリーナーを示す平面図である。
【図３】図２のＡ−Ａ線による断面図である。
【図４】同じくコードレスハンディクリーナーの全体を示す斜視図である。
【考案を実施するための形態】
【０００７】
以下、添付図面を参照して、本考案の一実施形態のハンディクリーナーを説明する。図1〜図4に示す通り、1はダストカップを有する、フィルター内蔵のサイクロン部を示し、2はモーター21を内蔵するボディー、3はハンドル、4はモーターに給電するバッテリーパック、5は本体底部、6はサイクロン部1とバッテリーパック4を連結する連結部、7は開口、8は開口7内において手動で動くモーター21をＯＮ／ＯＦＦするための引き金を示す。
【０００８】
ハンディクリーナーは、サイクロン部1と、モーター21を内蔵するボディー2と、ハンドル3と、モーター21に給電するバッテリーパック4と、本体底部5と、連結部6と、開口7と、引き金8と、を含む。
【０００９】
図3の通り、ボディー2の内部にモーター21が設置される。モーター21は吸引力を提供し、ごみをサイクロン部1に吸い込む。モーター21はバッテリーパック4で給電する。モーター21はサイクロン部1の横に設置される。ハンディクリーナーの正面からみると、図3の実施形態において、サイクロン部1の中心軸はモーター21の中心軸と平行であり、かつ水平面と平行である。サイクロン部1の中心軸とモーター21の中心軸は、水平面との間に0〜45°の角度（図面では0°）が形成できる。ハンディクリーナーの重量配分が均一で、重心を安定させることと、ごみの吸込効果に影響を与えないことを保証できれば、サイクロン部1の中心軸と水平面の間に偏角があることは許容される。
【００１０】
ハンドル3はボディー2の下側にある。ハンドル3の上部はボディー2に連結し、ハンドル3の下部はバッテリーパック4に連結する。バッテリーパック4はサイクロン部1の下側にある。図1、図3、図4から見ると、バッテリーパック4とサイクロン部1は、上下方向に、連結部６を介して、離隔されている。バッテリーパック4の位置はサイクロン部1の吸引口とごみ捨てに影響しない。ごみを捨てるときに、バッテリーパック4とサイクロン部1を一緒に取り外す必要はないし、バッテリーパック4をサイクロン部1から取り外す必要もない。
【００１１】
図1〜4の通り、バッテリーパック4はハンドル3の横で、下側にあり、バッテリーパック4の底部とハンドル3の底部は一体となっており、ハンディクリーナーの本体底部5を構成する。この本体底部5の平面は連続でも不連続でもよい。
【００１２】
モーター21によりパワフルな吸引力を提供し、ごみを吸い込み、サイクロン部1によってごみと空気を分離する。バッテリーパック4の後端部がハンドル3の底部に接続され、バッテリーパック4がサイクロン部1の下側に配置されることによって、ハンディクリーナーの重心を下げて、手軽に使用することができる。
【００１３】
別の実施形態において、バッテリーパック4はハンドル3の底部に取り付けられる。バッテリーパック4の底部がハンディクリーナーの本体底部5を構成する。当業者であれば、図１〜図４に示した実施形態を参考して、設計の変更を簡単に行うことができるので、これ以上の図は添付せず、その説明を繰り返さない。
【００１４】
上述の一実施形態により、本考案の実施形態を詳しく説明した。その目的は当業者が本考案の技術的概念および特徴を理解し実施できることである。本考案の範囲はこれらに限定されない。本考案の本旨に従ってなされた同等の変更または修正は、本考案の範囲に含まれる。
【符号の説明】
【００１５】
１    サイクロン部
２    ボディー
３    ハンドル
４    バッテリーパック
２１  モーター
【図１】
0003222432.tif 000003
【図２】
0003222432.tif 000004
【図３】
0003222432.tif 000005
【図４】
0003222432.tif 000006
【手続補正書】
【提出日】令和1年6月3日(2019.6.3)
【手続補正１】
【補正対象書類名】実用新案登録請求の範囲
【補正対象項目名】請求項４
【補正方法】変更
【補正の内容】
【請求項４】
前記バッテリーパックの底部と前記ハンドルの底部は一体で本体底部を構成することを特徴とする請求項１〜３いずれかに記載のハンディクリーナー。